(57)【要約】【課題】音響孔内の水をより効率よく除去することができる音響装置のカバーを提供する。【解決手段】車両に搭載される音響装置１のカバー２であって、カバー内面１００ｂからカバー外面１００ａに貫通する音響孔１１０、及びカバー外面１００ａに形成され水を滑り落とすための端部溝Ｂｂを有する主カバー部品１００と、主カバー部品１００の端部に当接し、主カバー部品１００よりも濡れ性が大きい水逃がし部品２００と、を備え、端部溝Ｂｂは、カバー外面１００ａにおいて音響孔１１０が設けられた位置を通るとともに、水逃がし部品２００が当接する端部まで延びている。【選択図】図７
2018011112.tif 000002
【特許請求の範囲】
【請求項１】
車両に搭載される音響装置のカバーであって、
カバー内面からカバー外面に貫通する音響孔、及び前記カバー外面に形成され水を滑り落とすための溝を有するカバー部品と、
前記カバー部品の端部に当接し、前記カバー部品よりも濡れ性が大きい水逃がし部品と、を備え、
前記溝は、前記カバー外面において前記音響孔が設けられた位置を通るとともに、前記水逃がし部品が当接する前記端部まで延びている、音響装置のカバー。
【発明の詳細な説明】
【技術分野】
【０００１】
本発明は、音響装置のカバーに関する。
【背景技術】
【０００２】
車体の外側に取り付けられる音響装置には、マイクロホンなどの音響部品を覆うカバーが設けられている。このカバーには、音を通過させる音響孔が設けられている。カバーが雨などに曝されることで、音響孔に水の膜が張ることがある。このため、例えば、特許文献１には、音響孔を通るようにカバーの外面に溝を設け、溝に沿って流れる水と音響孔に張る水膜とを結合させて落下させることにより、音響孔内の水を除去することが記載されている。
【先行技術文献】
【特許文献】
【０００３】
【特許文献１】特開２０１６−００１７８９号公報
【発明の概要】
【発明が解決しようとする課題】
【０００４】
本技術分野においては、音響装置のカバーに設けられた音響孔内の水を、より効率よく除去する構成が求められている。
【０００５】
そこで、本発明の一側面は、音響孔内の水をより効率よく除去することができる音響装置のカバーを提供することを目的とする。
【課題を解決するための手段】
【０００６】
本発明の一側面は、車両に搭載される音響装置のカバーであって、カバー内面からカバー外面に貫通する音響孔、及びカバー外面に形成され水を滑り落とすための溝を有するカバー部品と、カバー部品の端部に当接し、カバー部品よりも濡れ性が大きい水逃がし部品と、を備え、溝は、カバー外面において音響孔が設けられた位置を通るとともに、水逃がし部品が当接する端部まで延びている。
【０００７】
カバー部品の端部のうちカバー外面に設けた溝が到達している端部側が下方に位置するようにカバー部品を傾斜させてカバー部品を音響装置に設置することにより、音響孔内の水は溝内に導かれ、さらにカバー部品の傾斜方向の下側に向けて溝内を水が流れる。そして、水逃がし部品の濡れ性がカバー部品よりも大きいため、溝内を流れて溝の端部まで到達した水は、カバー部品の溝から水逃がし部品に移動する。このように、濡れ性の差を利用して、音響孔内の水を溝を介してカバー部品から水逃がし部品まで移動させることができるので、音響孔内の水をより効率よく除去することができる。
【発明の効果】
【０００８】
本発明の一側面によれば、音響孔内の水をより効率よく除去することができる。
【図面の簡単な説明】
【０００９】
【図１】図１（ａ）は、実施形態に係る音響装置の側面図である。図１（ｂ）は、実施形態に係る音響装置の縦断面図である。
【図２】図２は、図１（ａ）の音響装置を下側から見た図である。
【図３】図３は、図１（ｂ）のカバー蓋部の拡大断面図である。
【図４】図４（ａ）は、図３の主カバー部品の上面図である。図４（ｂ）は、図４（ａ）における主カバー部品をIVb‐IVb線に沿って切った断面図である。図４（ｃ）は、図３の主カバー部品の下面図である。
【図５】図５は、図３の主カバー部品に張る水の膜を示す断面図である。
【図６】図６（ａ）及び図６（ｂ）は、音響孔内の水が移動する様子を示す図である。
【図７】図７（ａ）は、主カバー部品から水逃がし部品へ水が移動する様子を示す拡大断面図である。図７（ｂ）は、図７（ａ）において水引込面で保持される水を矢印Ｃで示す方向から見た図である。
【図８】図８（ａ）は、第１変形例の主カバー部品の上面図である。図８（ｂ）は、図８（ａ）における主カバー部品をVIIIb‐VIIIb線に沿って切った断面図である。図８（ｃ）は、第１変形例の主カバー部品の下面図である。
【図９】図９（ａ）は、第１変形例の下側カバーの下面図である。図９（ｂ）は、図９（ａ）における下側カバーをIXb‐IXb線に沿って切った断面図である。図９（ｃ）は、第１変形例の下側カバーの上面図である。
【図１０】図１０（ａ）は、第２変形例の主カバー部品の上面図である。図１０（ｂ）は、図１０（ａ）における主カバー部品をXb‐Xb線に沿って切った断面図である。図１０（ｃ）は、第２変形例の主カバー部品の下面図である。
【図１１】図１１（ａ）は、図１０（ａ）の主カバー部品の音響孔を拡大して示す平面図である。図１１（ｂ）は、図１１（ａ）の主カバー部品をXIb‐XIb線に沿って切った断面図である。
【発明を実施するための形態】
【００１０】
以下、本発明の実施形態について図面を参照しながら説明する。なお、図面の説明において同一の要素には同一の符号を付し、重複する説明を省略する。各図において、説明の便宜上、ＸＹＺ直交座標系を示している。ＸＹＺ直交座標系において、Ｘ−Ｙ面が主カバー部品１００，１００Ａ，１００Ｂの面と一致し、Ｚ軸方向が主カバー部品１００等の厚さ方向となっている。Ｘ軸方向が、鉛直方向に対して傾斜する主カバー部品１００等の傾斜方向となっている。また、Ｘ軸の矢印が示す側が、主カバー部品１００等の傾斜方向の下側となっている。また、図１等に示す矢印Ｇは、重力方向（鉛直方向）の下側を示している。
【００１１】
図１（ａ）、図１（ｂ）及び図２に示すように、音響装置１は、車両に搭載され、車両の外側部分など、雨や湿気などにより水が付着する場所に設置される。音響装置１は、カバー２、及び、音響部品３を含んで構成されている。カバー２は、カバー筐体１０、及び、カバー蓋部２０を備えている。カバー筐体１０は、内部に空間を有する箱状に形成されている。カバー蓋部２０は、カバー筐体１０に取り付けられている。カバー蓋部２０は、音響部品３と対向するように設けられ、カバー筐体１０の下面に設けられた開口部１０ａを覆っている。
【００１２】
カバー蓋部２０は、主カバー部品（カバー部品）１００、及び水逃がし部品２００を備えている。主カバー部品１００は、本実施形態においては円形の板状の部材であり、音響部品３と対向している。主カバー部品１００には、カバー内面１００ｂからカバー外面１００ａに貫通する音響孔１１０が複数設けられている。カバー外面１００ａとは、主カバー部品１００の外側の面であり、カバー２の外側を向く面である。カバー内面１００ｂとは、主カバー部品１００の内側の面であり、カバー２の内部空間側を向く面である。主カバー部品１００の音響孔１１０を介して、カバー筐体１０の内外を音が通過する。図１（ｂ）において、図示の便宜上、音響孔１１０の一部のみに符号１１０を付している（図１（ｂ）以外の図においても同様とする）。
【００１３】
カバー蓋部２０は、主カバー部品１００のカバー外面１００ａが鉛直方向に対して所定の角度傾斜した方向を向くように、カバー筐体１０の下面に取り付けられている。本実施形態では、カバー筐体１０の下面が、鉛直方向に対して所定角度傾斜した方向を向くように形成されている。この傾斜するカバー筐体１０の下面にカバー蓋部２０を取り付けることで、主カバー部品１００のカバー外面１００ａが向く向きを、鉛直方向に対して所定の角度傾斜させている。なお、カバー筐体１０の下面を鉛直方向に対して所定角度傾斜した方向を向くように形成することに限定されず、主カバー部品１００のカバー外面１００ａが鉛直方向に対して所定の角度傾斜した方向を向くようにカバー蓋部２０が取り付けられていればよい。
【００１４】
水逃がし部品２００は、主カバー部品１００の周囲を囲う略筒状の部材である。音響部品３は、カバー２内に設けられている。音響部品３として、例えば音が入力されるマイクロホン、又は、例えば音を出力するスピーカなどを用いることができる。
【００１５】
以下、カバー蓋部２０の詳細について説明する。図２〜図５に示すように、主カバー部品１００に設けられた複数の音響孔１１０は、主カバー部品１００の傾斜方向（Ｘ軸方向）に沿って並んで設けられている。また、主カバー部品１００の傾斜方向に沿って並ぶ音響孔１１０の列が、Ｙ軸方向に沿って複数列（本実施形態では５列）設けられている。説明の便宜上、主カバー部品１００の傾斜方向に沿って並ぶ音響孔１１０の列を、主カバー部品１００をカバー内面１００ｂ側から見て左側から順に（図４（ａ）の図中の左側から順に）、第一音響孔列Ａ１、第二音響孔列Ａ２、第三音響孔列Ａ３、第四音響孔列Ａ４及び第五音響孔列Ａ５という。
【００１６】
本実施形態において、第一音響孔列Ａ１及び第五音響孔列Ａ５は、それぞれ５個の音響孔１１０によって構成されている。第二音響孔列Ａ２及び第四音響孔列Ａ４は、それぞれ６個の音響孔１１０によって構成されている。第三音響孔列Ａ３は、７個の音響孔１１０によって構成されている。第一音響孔列Ａ１〜第五音響孔列Ａ５は、含まれる音響孔１１０の個数が異なるものの、同様の構成を有している。
【００１７】
以下、音響孔１１０周りの構成として、第三音響孔列Ａ３を例に挙げて説明する。主カバー部品１００のカバー外面１００ａ及びカバー内面１００ｂには、中間部溝Ｂａ及び端部溝Ｂｂが設けられている。第三音響孔列Ａ３を構成する複数の音響孔１１０は、一方の端部の音響孔１１０から他方の端部の音響孔１１０にかけて、カバー外面１００ａ及びカバー内面１００ｂに設けられた中間部溝Ｂａによって繋がっている。中間部溝Ｂａ及び端部溝Ｂｂは、Ｘ軸方向に沿って延びている。
【００１８】
中間部溝Ｂａは、第三音響孔列Ａ３を構成する複数の音響孔１１０において、隣接する２つの音響孔１１０同士を繋いでいる。主カバー部品１００のカバー外面１００ａにおいて、中間部溝Ｂａは、隣接する２つの音響孔１１０同士を繋ぐ。主カバー部品１００のカバー内面１００ｂにおいて、中間部溝Ｂａは、隣接する２つの音響孔１１０同士を繋ぐ。カバー内面１００ｂに設けられる中間部溝Ｂａは、隣接する２つの音響孔１１０同士を繋ぐ際に、カバー外面１００ａに設けられた中間部溝Ｂａによって繋げられていない音響孔１１０同士を繋ぐ。
【００１９】
すなわち、中間部溝Ｂａは、第三音響孔列Ａ３を構成する複数の音響孔１１０において一方の端部の音響孔１１０から他方の端部の音響孔１１０にかけて、隣接する２つの音響孔１１０を繋ぎつつ、カバー外面１００ａ及びカバー内面１００ｂに交互に設けられている。
【００２０】
端部溝Ｂｂは、第三音響孔列Ａ３を構成する複数の音響孔１１０のうち、端部に位置する音響孔１１０を通って主カバー部品１００の端部まで延びている。すなわち、端部溝Ｂｂは、端部に位置する音響孔１１０から主カバー部品１００の端部まで延びている。端部溝Ｂｂは、中間部溝Ｂａと重なることが無いように、カバー外面１００ａ又はカバー内面１００ｂに設けられている。具体的には、端部に位置する音響孔１１０がカバー外面１００ａに設けられた中間部溝Ｂａに繋がっている場合、端部溝Ｂｂは、カバー内面１００ｂに設けられる。同様に、端部に位置する音響孔１１０がカバー内面１００ｂに設けられた中間部溝Ｂａに繋がっている場合、端部溝Ｂｂは、カバー外面１００ａに設けられる。このように、端部に位置する音響孔１１０において、孔の一方の端部（開口部）は中間部溝Ｂａに繋がり、他方の端部（開口部）が端部溝Ｂｂに繋がっている。
【００２１】
主カバー部品１００は、Ｘ軸方向の一方の端部が下側、他方の端部が上側となるように車両に取り付けられる。このため、中間部溝Ｂａ及び端部溝Ｂｂは、中間部溝Ｂａ及び端部溝Ｂｂ内の水を、主カバー部品１００の傾斜方向の下側に向けて滑り落とす機能を有している。一例として、中間部溝Ｂａ及び端部溝Ｂｂの溝幅は、音響孔１１０の直径と同程度となっている。一例として、中間部溝Ｂａ及び端部溝Ｂｂの溝の深さは、主カバー部品１００の厚さの略１／３程度となっている。
【００２２】
また、第三音響孔列Ａ３を構成する音響孔１１０の端部に繋がる端部溝Ｂｂにおいて、主カバー部品１００の傾斜方向の下側に位置する端部溝Ｂｂは、主カバー部品１００のカバー外面１００ａに設けられている。すなわち、主カバー部品１００の傾斜方向の下側に位置する端部溝Ｂｂが主カバー部品１００のカバー外面１００ａに設けられるように、主カバー部品１００のカバー外面１００ａ及びカバー内面１００ｂに中間部溝Ｂａ及び端部溝Ｂｂが設けられている。
【００２３】
以上、音響孔１１０周りの構成として第三音響孔列Ａ３を例に挙げて説明したが、第一音響孔列Ａ１、第二音響孔列Ａ２、第四音響孔列Ａ４、及び第五音響孔列Ａ５についても第三音響孔列Ａ３と同様に、各孔列を構成する音響孔１１０が中間部溝Ｂａ及び端部溝Ｂｂに繋がっている。
【００２４】
次に、主カバー部品１００における音響孔１１０内の水の除去について説明する。以下、音響孔１１０内の水の除去として、第三音響孔列Ａ３を例に挙げて説明する。図６（ａ）に示すように、音響孔１１０内の水Ｗ、すなわち音響孔１１０に張る水Ｗの膜は、重力によって引き寄せられることにより、音響孔１１０において水Ｗの膜の下部が膨らむ。音響孔１１０に水Ｗの膜が張っている状態においては、音響孔１１０を繋ぐ中間部溝Ｂａも被水しており、中間部溝Ｂａも濡れている。このため音響孔１１０において下部が膨らんだ水Ｗの膜が、濡れた中間部溝Ｂａに接触すると、下部が膨らむことによって空気との界面が広がった水Ｗは、中間部溝Ｂａの側面を利用して空気との界面を小さくするために移動を始める。さらに、音響孔１１０に張る水Ｗの膜には常に重力が作用しており、音響孔１１０に張る水Ｗの膜は下側（主カバー部品１００の傾斜方向の下側）へ引っ張られている。これらにより、音響孔１１０内の水Ｗが中間部溝Ｂａに移動するため、音響孔１１０の水Ｗの膜の厚さが減少し、水Ｗの膜が除去される（図６（ｂ）の上側の音響孔１１０の状態）。
【００２５】
音響孔１１０から中間部溝Ｂａに移動した水Ｗは、さらに下側（主カバー部品１００の傾斜方向の下側）の音響孔１１０内に入り込む、又は当該音響孔１１０内の水Ｗと一体になる。そして、この音響孔１１０内の水Ｗは、上記のようにさらに下側の中間部溝Ｂａへ移動して音響孔１１０の水Ｗの膜が除去される。このように、第三音響孔列Ａ３の各音響孔１１０内の水Ｗは、中間部溝Ｂａ及び音響孔１１０を順次伝って、主カバー部品１００の傾斜方向の下側の端部に位置する音響孔１１０に到達する。そして、下側の端部に位置する音響孔１１０内の水Ｗは、端部溝Ｂｂへ移動する。このように、水Ｗが移動することで、音響孔１１０に張る水Ｗの膜が除去される。
【００２６】
なお、図５に示すように、主カバー部品１００のカバー外面１００ａに設けられた中間部溝Ｂａの底面と、カバー内面１００ｂに設けられた中間部溝Ｂａの底面との間隔ｄが短いほど、主カバー部品１００の傾斜方向下側の端部に位置する音響孔１１０に水Ｗを到達させ易くなる。すなわち、水Ｗの膜の除去性能が高い。
【００２７】
第一音響孔列Ａ１、第二音響孔列Ａ２、第四音響孔列Ａ４、及び第五音響孔列Ａ５についても第三音響孔列Ａ３と同様に、各孔列を構成する音響孔１１０の水Ｗの膜を除去することができる。
【００２８】
次に、水逃がし部品２００の詳細について説明する。図３及び図７（ａ）等に示すように、水逃がし部品２００は、主カバー部品１００の周囲を囲い、主カバー部品１００の端部（端面）に当接している。水逃がし部品２００は、主カバー部品１００よりも濡れ性が大きい。
【００２９】
具体的には、特に図７（ａ）に示されるように、水逃がし部品２００は、筒部２１０、張出部２２０、及び係合部２３０を備えている。筒部２１０は、筒状に形成されており、内部に主カバー部品１００を収容することができる。
【００３０】
筒部２１０の内面２１０ａは、主カバー部品１００の外周を囲い、主カバー部品１００の端部（端面）に当接している。主カバー部品１００は、筒部２１０の下側の端部近傍に固定されている。なお、筒部２１０の内面２１０ａは、少なくとも、主カバー部品１００における傾斜方向の下側の端部と当接している。すなわち、主カバー部品１００の傾斜方向の下側の端部において、主カバー部品１００のカバー外面１００ａに設けられた端部溝Ｂｂは、筒部２１０の内面２１０ａが当接する主カバー部品１００の端部まで延びている。これにより、主カバー部品１００の傾斜方向の下側の端部において、主カバー部品１００のカバー外面１００ａに設けられた各端部溝Ｂｂは、一方の端部が音響孔列Ａ１〜Ａ５の端部に位置する各音響孔１１０とそれぞれ繋がり、他方の端部が筒部２１０の内面２１０ａと繋がっている。
【００３１】
張出部２２０は、環状に形成され、筒部２１０の下側の端縁から筒部２１０の内側に向けて延びている。水逃がし部品２００を筒部２１０の筒形状の軸線方向に沿って切って見たときに、張出部２２０の先端部が、張出部２２０の基端部に対して下側に位置するように張出部２２０が筒部２１０から延びている。なお、張出部２２０の先端部とは、筒部２１０の端縁からの張り出し方向の先端部分である。また、張出部２２０の基端部とは、筒部２１０の端縁に接続される側の端部である。これにより、張出部２２０における内側(主カバー部品１００側)の面（水引込面２２０ａ）が、張出部２２０の先端部に向かって下側に傾斜する状態となる。これにより張出部２２０の内側の面（水引込面２２０ａ）上に水が溜まっても、面の傾斜によって水を移動させて張出部２２０の先端部から水を落下させることができる。以下、張出部２２０の内側の面を、水引込面２２０ａという。
【００３２】
係合部２３０は、筒部２１０の下側の端縁から筒部２１０の外側に向かけて張り出している。図１（ｂ）に示すように、係合部２３０は、水逃がし部品２００がカバー筐体１０の下面に取り付けられた際に、カバー筐体１０の下面に係合する。これにより、係合部２３０は、カバー筐体１０の下面に対する水逃がし部品２００の飛び出し量を規定ことができる。
【００３３】
次に、主カバー部品１００から水逃がし部品２００へ水が移動する構成について説明する。上述したように、主カバー部品１００が傾斜していることにより、第一音響孔列Ａ１〜第五音響孔列Ａ５の各音響孔１１０内の水Ｗは、中間部溝Ｂａ及び音響孔１１０を順次伝って、端部溝Ｂｂへ移動する。図７（ａ）に示すように、端部溝Ｂｂへ移動した水は、濡れ性の差によって、端部溝Ｂｂから筒部２１０の内面２１０ａに移動する。筒部２１０の内面２１０ａに移動した水は、重力により、張出部２２０の水引込面２２０ａ上において張出部２２０の先端部に向けて広がる。
【００３４】
水引込面２２０ａ上においては、固液界面自由エネルギー、固気界面自由エネルギー、表面張力、及び重力が釣り合う量の水Ｗが、水引込面２２０ａ上で保持される。水引込面２２０ａ上で保持される水Ｗが主カバー部品１００と再度接触すると、主カバー部品１００から水逃がし部品２００への水の移動が妨げられ、音響孔１１０内の水Ｗの除去ができなくなることがある。このため、水引込面２２０ａ上の水Ｗが重力によって落下する状態になるまで、水Ｗが主カバー部品１００に再度接触しないように、水引込面２２０ａの長さ、つまり張出部２２０の基端部から先端部までの長さを長くする必要がある。
【００３５】
以下、水引込面２２０ａの長さについて説明する。図７（ａ）及び図７（ｂ）に示すように、水引込面２２０ａ上で保持される水Ｗにかかる力は、主に、重力による力ｍｇｃｏｓφ、各界面に働く力（固気界面：γＳＡ×２πＲＳＬ、固液界面：γＳＬ×２πＲＳＬ、気液界面：γＬＡｃｏｓθ×∫ｃｏｓωｄω）となる。これらが釣り合う状態における水Ｗの接触面の径２ＲＳＬは、次の式（１）で表される。
【数１】
2018011112.tif 000003
【００３６】
但し、式（１）において、γＳＬは、水逃がし部品２００の固液界面自由エネルギーとする。γＳＡは、固気界面自由エネルギーとする。γＬＡは、水の表面張力（気液界面自由エネルギー）とする。θは、水逃がし部品２００と水のなす接触角とする。φは、水逃がし部品２００の水引込面２２０ａと鉛直方向（重力方向）とのなす角度とする。ωは、水Ｗの接触面の周縁におけるＸ−Ｚ平面上の２つの点Ｗａ及び点Ｗｂを通る直線と、水Ｗの接触面の周縁の各点と水Ｗの接触面の中心を結ぶ直線とがなす角度とする。ｍは、水Ｗが水逃がし部品２００から落下する質量とする。
【００３７】
水引込面２２０ａ上で保持される水Ｗが主カバー部品１００に再度接触しないようにするためには、式（１）で算出される径２ＲＳＬよりも。水引込面２２０ａの長さを長くする、又は、水引込面２２０ａの傾斜角度を鉛直近づければよい。或いは、材質を変更して、各界面自由エネルギーによる合成力を変更してもよい。
【００３８】
本実施形態は以上のように構成され、主カバー部品１００が傾斜していることにより、第一音響孔列Ａ１〜第五音響孔列Ａ５の各音響孔１１０内の水Ｗは、中間部溝Ｂａ及び音響孔１１０を順次伝って、端部溝Ｂｂへ移動する。水逃がし部品２００の濡れ性が主カバー部品１００よりも大きいため、端部溝Ｂｂ内を流れて端部溝Ｂｂの端部まで到達した水は、主カバー部品１００の端部溝Ｂｂから水逃がし部品２００に移動する。このように、濡れ性の差を利用して、音響孔１１０内の水Ｗを中間部溝Ｂａ及び端部溝Ｂｂを介して主カバー部品１００から水逃がし部品２００まで移動させることができるので、音響孔１１０内の水Ｗをより効率よく除去することができる。
【００３９】
水引込面２２０ａの長さ（張出部２２０における基端部から先端部までの長さ）は、重力による力、及び各界面に働く力を考慮し、式（１）で求められる径２ＲＳＬよりも大きい。これにより、水引込面２２０ａ上で保持される水Ｗが、主カバー部品１００に再度接触することが防止でき、音響孔１１０内の水Ｗを確実に除去できる。なお、水引込面２２０ａの長さを式（１）で求められる径２ＲＳＬよりも大きくすることは、水引込面２２０ａの長さを長くしたり、水引込面２２０ａの傾斜角度を鉛直に近づけたりすることで実現できる。また、材質を変更して、各界面自由エネルギーによる合成力を変更してもよい。
【００４０】
（主カバー部品の第１変形例）
次に、実施形態で説明した主カバー部品１００の第１変形例について説明する。図８（ａ）〜図８（ｃ）、図９（ａ）〜図９（ｃ）に示すように、第１変形例における主カバー部品（カバー部品）１００Ａは、上側カバー１０１Ａ、及び下側カバー１０１Ｂを備えている。上側カバー１０１Ａ及び下側カバー１０１Ｂは、本実施形態においては円形の板状の部材である。上側カバー１０１Ａには、互いに同じ方向に沿って延在する複数の上側長孔１０２Ａが設けられている。下側カバー１０１Ｂには、互いに同じ方向に沿って延在する複数の下側長孔１０２Ｂが設けられている。
【００４１】
上側カバー１０１Ａ及び下側カバー１０１Ｂは、上側長孔１０２Ａの延在方向と下側長孔１０２Ｂの延在方向とが直交するように互いに重ねられている。主カバー部品１００Ａにおいて、上側長孔１０２Ａ及び下側長孔１０２Ｂが連通することで、主カバー部品１００Ａのカバー内面１００ｂからカバー外面１００ａに貫通する音響孔１１０Ａが形成される。
【００４２】
下側カバー１０１Ｂにおいて、主カバー部品１００Ａのカバー外面１００ａとなる面には、下側長孔１０２Ｂの端部から下側カバー１０１Ｂの端部まで延びる端部溝１０３Ｂが設けられている。端部溝１０３Ｂは、下側長孔１０２Ｂの延在方向に沿って下側長孔１０２Ｂの端部から延びている。なお、下側カバー１０１Ｂに設けられている端部溝１０３Ｂと同様の端部溝を、上側カバー１０１Ａに設けてもよい。
【００４３】
上側カバー１０１Ａと下側カバー１０１Ｂとを重ねて形成される主カバー部品１００Ａは、下側カバー１０１Ｂの下側長孔１０２Ｂの延在方向がＺ軸方向と一致するように、水逃がし部品２００によってカバー筐体１０に取り付けられる。これにより、下側カバー１０１Ｂの下側長孔１０２Ｂ及び端部溝１０３Ｂは、水を滑り落とす溝として機能する。主カバー部品１００Ａは、水逃がし部品２００よりも濡れ性が小さい。すなわち、水逃がし部品２００は、主カバー部品１００Ａよりも濡れ性が大きい。
【００４４】
主カバー部品１００Ａにおいても実施形態と同様に、音響孔１１０Ａ内の水が下側長孔１０２Ｂへ移動し、音響孔１１０Ａの水の膜が除去される。そして、音響孔１１０Ａから下側長孔１０２Ｂに移動した水は、端部溝１０３Ｂを介して水逃がし部品２００へ移動する。このように、第１変形例における主カバー部品１００Ａにおいても、実施形態における主カバー部品１００と同様に水の膜の除去を行うことができる。
【００４５】
（主カバー部品の第２変形例）
次に、実施形態で説明した主カバー部品１００の第２変形例について説明する。図１０（ａ）〜図１０（ｃ）に示すように、第２変形例における主カバー部品（カバー部品）１００Ｂは、複数本の針金１０５を例えば平織で編むことで形成されている。なお、針金１０５は、縦方向に沿って延在する縦針金１０５Ａと、横方向に沿って延在する横針金１０５Ｂとを備えている。ここでの縦方向とはＸ軸方向とし、横方向とはＹ方向とする。縦針金１０５Ａと横針金１０５Ｂとは、互いに直交している。縦針金１０５Ａ及び横針金１０５Ｂは、波状に折れ曲がっている。なお、編まれた針金１０５の端部には、環状の枠１０６が取り付けられている。枠１０６は、針金１０５に対して、主カバー部品１００Ｂのカバー内面１００ｂ側に設けられている。
【００４６】
縦針金１０５Ａ同士の間には、所定の隙間が設けられている。横針金１０５Ｂ同士の間には、所定の隙間が設けられている。これにより、針金１０５同士の間に、主カバー部品１００Ｂのカバー内面１００ｂからカバー外面１００ａに貫通する音響孔１１０Ｂが形成される。すなわち、音響孔１１０Ｂは、編まれた針金１０５の網目の隙間である。
【００４７】
図１１（ａ）及び図１１（ｂ）に示すように、縦針金１０５Ａの延在方向（Ｘ軸方向）において隣接する音響孔１１０Ｂ同士は、縦針金１０５Ａの延在方向に延びる連結流路Ｒによって互いに連結されている。同様に、横針金１０５Ｂの延在方向（Ｙ軸方向）において隣接する音響孔１１０Ｂ同士は、横針金１０５Ｂの延在方向に延びる連結流路Ｒによって互いに連結されている。連結流路Ｒは、実施形態における中間部溝Ｂａと同様の機能を奏する。
【００４８】
ここで、連結流路Ｒは、針金１０５の上側に形成された流路と、下側に形成された流路とを含んでいる。このため、例えば、縦針金１０５Ａの延在方向に沿って、音響孔１１０Ｂ及び連結流路Ｒを介して水が移動する場合、主カバー部品１００Ｂの厚さ方向において蛇行することなく水を移動させることができる。例えば、縦針金１０５Ａの延在方向に沿って水が移動する場合、横針金１０５Ｂの下側に形成される連結流路Ｒのみを介して、順次音響孔１１０Ｂ間を移動することができる。
【００４９】
図１０（ｂ）及び図１０（ｃ）に示すように、複数の音響孔１１０Ｂのうち、枠１０６に隣接する音響孔１１０Ｂは、針金１０５間に設けられる端部流路Ｒ１によって、主カバー部品１００Ｂの端部に繋がっている。端部流路Ｒ１は、実施形態における端部溝Ｂｂと同様の機能を奏する。主カバー部品１００Ｂは、水逃がし部品２００よりも濡れ性が小さい。すなわち、水逃がし部品２００は、主カバー部品１００Ｂよりも濡れ性が大きい。
【００５０】
主カバー部品１００Ｂにおいても実施形態と同様に、音響孔１１０Ｂ内の水が連結流路Ｒを介して、傾斜する主カバー部品１００Ｂの下側の端部に向けて移動する。これにより、音響孔１１０Ｂの水の膜が除去される。そして、主カバー部品１００Ｂの端部においては、端部流路Ｒ１を介して、主カバー部品１００Ｂから水逃がし部品２００へ水が移動する。このように、第２変形例における主カバー部品１００Ｂにおいても、実施形態における主カバー部品１００と同様に水の膜の除去を行うことができる。
【００５１】
また、一つの音響孔１１０Ｂは、縦針金１０５Ａの延在方向に沿って隣接する２つの音響孔１１０Ｂと、横針金１０５Ｂの延在方向に沿って隣接する２つの音響孔１１０Ｂと連結流路Ｒによって互いに繋がっている。このため、一つの音響孔１１０Ｂ内の水は、主カバー部品１００Ｂの傾斜方向の上側に位置する音響孔１１０Ｂ以外の３つの音響孔１１０Ｂに向けて連結流路Ｒを介して移動する。このため、音響孔１１０Ｂの水の膜を効率よく除去することができる。
【００５２】
以上、本発明の実施形態について説明したが、本発明は、上記実施形態に限定されるものではない。例えば、主カバー部品１００，１００Ａ，１００Ｂの形状、音響孔１１０，１１０Ａ，１１０Ｂの数については、上記の実施形態及び変形例で説明したものに限定されない。水逃がし部品２００の張出部２２０は、筒部２１０の内側に向けて延びているものとしたが、筒部２１０の外側に向けて延びていてもよい。
【符号の説明】
【００５３】
１…音響装置、２…カバー、１００，１００Ａ，１００Ｂ…主カバー部品（カバー部品）、１００ａ…カバー外面、１００ｂ…カバー内面、１１０，１１０Ａ，１１０Ｂ…音響孔、２００…水逃がし部品、Ｂｂ…端部溝（溝）、１０３Ｂ…端部溝（溝）、Ｒ１…端部流路（溝）。
【図１】
2018011112.tif 000004
【図２】
2018011112.tif 000005
【図３】
2018011112.tif 000006
【図４】
2018011112.tif 000007
【図５】
2018011112.tif 000008
【図６】
2018011112.tif 000009
【図７】
2018011112.tif 000010
【図８】
2018011112.tif 000011
【図９】
2018011112.tif 000012
【図１０】
2018011112.tif 000013
【図１１】
2018011112.tif 000014